(57)【要約】【課題】高い位置にある吊線に対して地上からケーブルハンガを１つ１つ容易に取付けることができるようにする。【解決手段】竿３の先端に取付けられた保持装置本体５に、ケーブルハンガ７のケーブル挿入口１９を上向きとして少なくともハンガ上部２３とハンガ側部３９の２箇所の内、ハンガ上部２３を保持する第１ハンガ保持部９と、ハンガ側部３９を保持する第２ハンガ保持部１１と、前記ケーブル挿入口１９へ向けて誘導案内するガイド部１５とを設け、第１ハンガ保持部９を、保持装置本体５を上昇させた時にハンガ上部２３との離脱が可能となる下方が開放された係合凹部３５の形状とする。第２ハンガ保持部１１を、ハンガ側部３９の挿入及び離脱が可能となる縦方向の係合溝４１を作る溝壁部４３を有する形状とする。【選択図】図１
2006246590.tif 000002
【特許請求の範囲】
【請求項１】
竿の先端に取付けられた保持装置本体に、若干の変形やその復帰が可能となるばね性のハンガ線材で作られると共に、ケーブルハンガのケーブル挿入口を上向きとして少なくともハンガ上部とハンガ側部の２箇所の内、ハンガ上部を保持する第１ハンガ保持部と、ハンガ側部を保持する第２ハンガ保持部と、前記ケーブル挿入口へ向けて誘導案内するガイド部とをそれぞれ設け、前記第１ハンガ保持部はケーブルハンガを吊線に支持させた状態で保持装置本体を上昇させた時にハンガ上部との離脱が可能となる下方が開放された係合凹部を有する一方、第２ハンガ保持部は保持装置本体の一般面に対向して設けられ上下及び前面が開放された形状でハンガ側部の挿入及び離脱が可能となる縦方向の係合溝を作る溝壁部を有していることを特徴とするケーブルハンガ保持装置。
【請求項２】
前記第１ハンガ保持部の係合凹部と第２ハンガ保持部の係合溝とにケーブルハンガを吸着する磁石が設けられていることを特徴とする請求項１記載のケーブルハンガ保持装置。
【請求項３】
前記縦方向の係合溝を作る対向して設けられた溝壁部の内、内側に位置する溝壁部の上半部に、一般面から外側下方へ向かって傾斜するハンガ離脱ガイド面を備えていることを特徴とする請求項１記載のケーブルハンガ保持装置。
【請求項４】
竿の先端に取付けられた保持装置本体に、吊線の上を走行可能で常時は下向きに付勢されると共に上下動可能な前後一対の走行輪と、若干の変形やその復帰が可能となるばね性のハンガ線材によって作られると共に、ケーブルハンガのケーブル挿入口を下向きとして着脱自在に支持するケーブルハンガセット位置と、前記保持装置本体を下降させた時に走行輪と共に相対的に上昇する吊線によって取外しが可能となるケーブルハンガ取外し位置とに回動するケーブルハンガ支持アームと、下向きに延長されると共に前記前後一対の走行輪へ向けて案内幅が順次狭くなる左右一対のガイド部とを有し、前記左右のガイド部の内、一方のガイド部に内側から外側へ向けて取付けるケーブル端末取付部を備えていることを特徴とするケーブルハンガ保持装置。
【発明の詳細な説明】
【技術分野】
【０００１】
本発明は、電柱と電柱の間に掛け渡された吊線に対して１つ１つ独立して作られたケーブルハンガを所定間隔で取付けるのに適するケーブルハンガ保持装置に関する。
【背景技術】
【０００２】
従来、電柱に沿って例えば通信ケーブル等を配線するのにケーブルハンガが用いられている。
【０００３】
ケーブルハンガは、例えばワイヤによってスパイラル状に巻かれた形状に作られていて一般にはスパイラルハンガと呼ばれ、電柱間に掛け渡された吊線によって支持される。
【０００４】
吊線によって支持されたケーブルハンガ内には通信ケーブル等が配置され支持されるようになっている。
【特許文献１】特公昭５２−４０３３号公報
【発明の開示】
【発明が解決しようとする課題】
【０００５】
スパイラル状のケーブルハンガは、長大な連続するスパイラルとなることで多大の材料を必要とし、コスト高く招くことと、電柱間に掛け渡された吊線に対して端から順々に通すことで吊下げ支持されるようになるため、その作業が大変面倒で作業性の面でも望ましくない所から、それらの問題を解消するために出願人から新たなケーブルハンガが提案されている。
【０００６】
そこで、本発明は、新たに提案されたケーブルハンガを高い位置にある吊線に対して地上からでも１つ１つ容易に取付けることができるようにすると共に、通信ケーブル等をハンガ内へ容易に挿入できるようにしたケーブルハンガ保持装置を提供することを目的とする。
【課題を解決するための手段】
【０００７】
前記目的を達成するために、本発明にあっては、第１に、竿の先端に取付けられた保持装置本体に、若干の変形やその復帰が可能となるばね性のハンガ線材で作られると共に、ケーブルハンガのケーブル挿入口を上向きとして少なくともハンガ上部とハンガ側部の２箇所の内、ハンガ上部を保持する第１ハンガ保持部と、ハンガ側部を保持する第２ハンガ保持部と、前記ケーブル挿入口へ向けて誘導案内するガイド部とをそれぞれ設け、前記第１ハンガ保持部はケーブルハンガを吊線に支持させた状態で保持装置本体を上昇させた時にハンガ上部との離脱が可能となる下方が開放された係合凹部を有する一方、第２ハンガ保持部は保持装置本体の一般面に対向して設けられ上下及び前面が開放された形状でハンガ側部の挿入及び離脱が可能となる縦方向の係合溝を作る溝壁部を有していることを特徴とする。
【０００８】
第２に、竿の先端に取付けられた保持装置本体に、吊線の上を走行可能で常時は下向きに付勢されると共に上下動可能な前後一対の走行輪と、若干の変形やその復帰が可能となるばね性のハンガ線材によって作られると共に、ケーブルハンガのケーブル挿入口を下向きとして着脱自在に支持するケーブルハンガセット位置と、前記保持装置本体を下降させた時に走行輪と共に相対的に上昇する吊線によって取外しが可能となるケーブルハンガ取外し位置とに回動するケーブルハンガ支持アームと、下向きに延長されると共に前記前後一対の走行輪へ向けて案内幅が順次狭くなる左右一対のガイド部とを有し、前記左右のガイド部の内、一方のガイド部に内側から外側へ向けて取付けるケーブル端末取付部を備えていることを特徴とする。
【発明の効果】
【０００９】
第１の本発明によれば、ケーブルハンガのハンガ上部を保持装置本体の第１ハンガ保持部によって、ケーブルハンガのハンガ側部を第２ハンガ保持部によってそれぞれ保持することができる。
【００１０】
次に、保持装置本体を固定支持された吊線へ向かって上昇させ、ガイド部を吊線にあてた状態でさらに上昇させるとガイド部は吊線と接触しながら上昇し、ケーブル挿入口から円滑に吊線をハンガ内部へ挿入させることができる。この状態で、上昇させた保持装置本体を下方へ引下げることでハンガ上部を吊線に対して容易、かつ、迅速に支持させることができる。
【００１１】
次に、吊線に支持された状態にあるケーブルハンガに対して保持装置本体を再び上昇させることで、ハンガ上部は第１ハンガ保持部から円滑に離脱し、吊線に支持された状態で残る一方、ハンガ側部は溝壁部と接触しながら変形することで係合溝から外れる。この結果、ケーブルハンガを吊線に支持させた状態で保持装置本体をケーブルハンガから容易に取外すことができる。
【００１２】
また、第２の本発明によれば、保持装置本体を吊線の真上まで上昇させた後、下降させることで走行輪を吊線の上に一時的に乗せることができる。
【００１３】
次に、走行輪が吊線の上に乗った状態において保持装置本体を下方へ引張るように下降させると、その下降により吊線と当接するケーブルハンガは、ケーブルハンガ取外し位置まで回動しハンガ上部を吊線に支持させることができる。
【００１４】
また、ハンガ上部を吊線に支持させた状態にあるケーブルハンガに対して、保持装置本体を再び上昇させることで、ケーブルハンガ支持アームから離脱し、ケーブルハンガを吊線に支持させた状態で保持装置本体をケーブルハンガから容易に取外すことができる。
【００１５】
一方、ケーブル端末取付部に例えば、地上において通信ケーブル等のケーブル端末部を取付けた後、ケーブルハンガが支持された吊線へ向けて保持装置本体を上昇させた後、走行輪によって吊線の上を走行させると、通信ケーブルの取付部となる先頭は吊線に支持されたケーブルハンガのケーブル挿入口を次々に横切るよう通過していき、その後に続くケーブル本体はケーブル挿入口から自重によってその内部へ向け落下しケーブルハンガに対するケーブル等の挿入作業が迅速、容易に完了するようになる。
【発明を実施するための最良の形態】
【００１６】
第１には、前記第１ハンガ保持部の係合凹部と第２ハンガ保持部の係合溝とにケーブルハンガを吸着する磁石を設け、磁石による吸着力によってケーブルハンガの保持を良り確実にする。
【００１７】
第２には、前記縦方向の係合溝を作る溝壁部の内、内側に位置する溝壁部の上半部に、一般面から外側へ向かって傾斜するハンガ離脱ガイド面を備え、保持装置本体を吊線に対して上昇させた時にケーブルハンガの一部分がハンガ離脱ガイド面により係合溝の溝底から外へ誘導されケーブルハンガの円滑な離脱を可能とする。
【実施例】
【００１８】
以下、図１乃至図６の図面を参照しながら本発明の第１の実施形態について具体的に説明する。
【００１９】
図１は本発明にかかるケーブル保持装置の概要側面図、図２は図１の概要正面図、図６はケーブル保持装置によって吊線に支持されたケーブルハンガの概要斜視図をそれぞれ示している。
【００２０】
ケーブル保持装置１は、竿３の先端に取付けられた保持装置本体５に、ケーブルハンガ７の少なくとも２箇所を保持する第１、第２ハンガ保持部９、１１と、ケーブルハンガ７のケーブル挿入口１９へ向けて誘導案内するガイド部１５とを有している。
【００２１】
ケーブルハンガ７は、図６に示すように全体が若干変形してもその復帰が可能となるばね性のハンガ線材で作られ、ケーブル支持部１７へ続くケーブル挿入口１９と吊線２１に支持される下向きＵ字状のハンガ上部２３とを有している。ケーブル挿入口１９は上方から下方（Ｙ方向）へは挿入可能で下方から上方（Ｘ方向）へは阻止される片側が自由端となるストッパー部２５を有する形状となっている。
【００２２】
竿３は、電柱間に張られた吊線２１に対して地上から届く長さに設定されている。竿３の上端部は、保持装置本体５の下部張り出し部２７に設けられた取付穴２９に挿入セットされ固定ボルト３１によって一体に固定支持されている。
【００２３】
第１、第２ハンガ保持部９、１１の内、第１ハンガ保持部９は、ケーブルハンガ７のハンガ上部２３を保持するもので、保持装置本体５の上部張り出し部３３の下面に設けられている。第１ハンガ保持部９の形状は前記ハンガ上部２３の形状に倣って断面円弧状で、下方が開放された係合凹部３５となっていて、上方への動きと、前後（図１左右）への動きが拘束されるようになっている。
【００２４】
係合凹部３５には、ハンガ上部２３を磁力によって吸着する磁石３７が設けられている。
【００２５】
第２ハンガ保持部１１は、図１においてケーブルハンガ７の一方のハンガ側部３９（図面右側）を保持するもので、保持装置本体５の一般面５ａに対向して設けられている。第２ハンガ保持部１１は、上下及び前面が開放され、ハンガ側部３９の挿入及び離脱が可能となる縦方向の係合溝４１を作る左右の溝壁部４３，４３を有する形状となっている。
【００２６】
内側に位置する溝壁部４３は、図３に示すように上半部に、一般面５ａから外側下方へ向かって傾斜するハンガ離脱ガイド面４５を備えている。ハンガ離脱ガイド面４５は、ケーブルハンガ７が円滑にスライドするよう内側がアール面（図面では線で現わしている）に形成されており、ケーブルハンガ７が吊線２１に支持された状態で保持装置本体５を上昇させた時に、ハンガ側部３９からハンガ上部２３へ続く傾斜部４７がハンガ離脱ガイド面４５に乗り上がることで、ハンガ側部３９が係合溝４１の溝底から上昇（矢印）し、ついには外へ離脱する作用が得られるようになっている。
【００２７】
係合溝４１の溝底には、前記ハンガ側部３９を磁力によって吸着する磁石４９が設けられている。
【００２８】
なお、磁石４９にかえて係合溝４１の溝幅を狭めることでハンガ側部３９を挟持する手段としてもよい。この場合、第１ハンガ保持部９に設けた磁石３７を省略することでも可能である。
【００２９】
ガイド部１５は、保持装置本体５の上部張り出し部３３に一体に固定支持されたロッド状の形状となっていて、吊線２１がガイド部１５のガイド面１５ａと接触した時に、そのままガイド面１５ａに沿って吊線２１が下降することでケーブルハンガ７のケーブル挿入口１９へ向け誘導されるようになっている。
【００３０】
この場合、ガイド部１５の構造としては、例えば、図７に示すように保持装置本体５の上部張り出し部３３と下部張り出し部２７とにそれぞれ設けられた上方へ向け拡がるガイドバー５１でケーブルハンガ７のケーブル挿入口１９へ向け誘導案内する手段とすることでもよい。
【００３１】
このように構成されたケーブル保持装置１によれば、ケーブルハンガ７のハンガ上部２３を保持装置本体５の第１ハンガ保持部９によって、ハンガ側部３９を第２ハンガ保持部１１によってそれぞれ支持し、電柱と電柱の間に固定支持された吊線２１（仮想線）へ向けて保持装置本体５を上昇させる（図１矢印ａ，以下同じ）。上昇させたガイド部１５のガイド面１５ａに吊線２１をあてた状態で、さらに上昇させると、吊線２１はガイド面１５ａと接触し合う相対関係の移動によって図４仮想線で示すようにケーブル挿入口１９から円滑にハンガ内部へ挿入される。この状態で保持装置本体５を図面左へ移動させた後、上昇させた状態にある保持装置本体５を再び下方へ引き下げる即ち、下降（図４矢印ｂ，以下同じ）させると、ハンガ上部２３と吊線２１との上下の位置関係によってストレートに、あるいは、ハンガ内壁面に沿ってガイドされながら、ハンガ上部２３は吊線２１に対して容易、かつ、迅速に支持されるようになる。
【００３２】
一方、吊線２１に支持された状態にあるケーブルハンガ７に対して、一たん下降させた保持装置本体５を再び上昇させることで、ハンガ上部２３は第１ハンガ保持部９から円滑に離脱する一方、ハンガ側部３９は係合溝４１の溝底から外へ離脱する。この結果、ケーブルハンガ７を吊線２１に支持させた状態で保持装置本体５をケーブルハンガ７から容易に無理なく迅速に取外せるようになる。
【００３３】
以下、この作業を順次繰返し行なうことで、図６に示すように吊線２１に対してケーブルハンガ７を所定の間隔で取付けることができる。
【００３４】
図８から図１５はケーブルハンガ保持装置の第２の実施形態を示したものである。
【００３５】
竿３の先端に取付けられる保持装置本体５２に、吊線２１の上を走行可能な前後一対の走行輪５３、５３と、ケーブルハンガ７を着脱自在に支持するケーブルハンガ支持アーム５５と、前記前後一対の走行輪５３へ向けて案内幅が順次狭くなる下向きに延長された左右一対のガイド部５７、５７とを有している。
【００３６】
走行輪５３は、吊線２１を跨ぐように断面下向きコ字状に形成された保持装置本体５２の上下の長孔５９内に車軸６１を介して回転自在に支持されている。
【００３７】
走行輪５３の車軸６１は前記長孔５９に沿って上下動する軸受によって回転自在に支持され、軸受は付勢ばね６３によって常時下向きに付勢されている。
【００３８】
したがって、走行輪５３は長孔５９の範囲内において上下動可能となるところから、走行輪５３が吊線２１に乗った状態で保持装置本体５２を前記付勢ばね６３に抗して下方へ引き下げることが可能となる。
【００３９】
ケーブルハンガ支持アーム５５は、ケーブルハンガセット位置（図１０、実線）とケーブルハンガ取外し位置（図１０、鎖線）とに回動可能となっていて、常時は磁石（図示していない）の磁力によりケーブルハンガがセット位置（図１０、鎖線）に付勢されると共に、走行輪５３が乗った吊線２１の上方を横切るよう配置されている。
【００４０】
ケーブルハンガ支持アーム５５は、図１０において右側がアームヒンジ６５、他方が自由端となって前記保持装置本体５２を下方へ引き下げた時に当接する吊線２１によって時計方向への回動（ケーブルハンガセット位置からケーブルハンガ取出し位置）が可能となっている。
【００４１】
ケーブルハンガ支持アーム５５には、ケーブルハンガ７のハンガ上部２３を保持する第１ハンガ保持部９とハンガ側部３９を保持する第２ハンガ保持部１１とを有している。
【００４２】
第１、第２ハンガ保持部９、１１は前記第１実施形態の第１、第２ハンガ保持部９、１１と同一形状のため同一符号を付して詳細な説明を省略する。
【００４３】
なお、ケーブルハンガ７は第１実施形態のケーブルハンガ７のハンガ上部２３とケーブル挿入口１９を有する基本形状については変わりはないが、ケーブル挿入口１９の位置が、側方で内部へ向かう挿入通路１９ａを有する形状となっている。
【００４４】
左右一対のガイド部５７は、下向きに延長されると共に上方の走行輪５３へ向けて案内幅が順次狭くなる形状となっていて保持装置本体５２の下部に固定支持されている。
【００４５】
ガイド部５７は、その一方に通信ケーブル６７等のケーブル端末部６７ａを内側から外側へ向かって取付けるケーブル端末取付部６９が設けられている。
【００４６】
ケーブル端末取付部６９は、ケーブル締付け固定ボルト７１を有し、前記吊線２１に支持されたケーブルハンガ７のケーブル挿入口１９を横切る高さに設定されると共に、図１１に示すように内側から外側、即ち、ケーブル挿入口１９となる吊線２１に向かってケーブル端末部６７ａが取付けられるよう所定角度傾斜した形状となっている。この場合、固定タイプではなく自由に角度が設定できる可動タイプの方が望ましい。
【００４７】
なお、図１１において７３は竿３の先端部を取付けるための竿取付部となっていて、取付穴内に挿入された竿先端部に対して固定ねじ７５を締付けることで一体に固定支持されるようになっている。
【００４８】
このように構成されたケーブルハンガ保持装置１によってケーブルハンガ７を吊線２１に取付けるには、まず、図１２に示すようにケーブルハンガセット位置にあるケーブルハンガ支持アーム５５に対してケーブル挿入口１９が下向きとなるようケーブルハンガ７を支持セットし、保持装置本体５２を吊線２１の真上まで上昇させた後、続いて下降させる。この下降時に下向きのケーブル挿入口１９内に吊線２１が挿入されると共に走行輪５３は吊線２１の上に一時的に乗るようになる。
【００４９】
この状態において、さらに、保持装置本体５２を下降させると吊線２１とケーブルハンガ支持アーム５５が当接し、その吊線２１によってケーブルハンガ７は取外し可能なケーブルハンガ取外し位置（図１３）まで９０度回動する。と同時にハンガ上部２３は吊線２１に支持されるようになる。
【００５０】
次に、吊線２１に支持された状態にある保持装置本体５２を上昇させることで、ケーブルハンガ７のハンガ上部２３は第１ハンガ保持部９から、また、ハンガ側部３９は第２ハンガ保持部１１からそれぞれ離脱し、ケーブルハンガ７から保持装置本体５２を取外せるようになる。以下この作業を繰返すことで吊線２１に対してケーブルハンガ７を所定の間隔で支持させることができる。
【００５１】
一方、ケーブル端末取付部６９に例えば、通信ケーブル６７のケーブル端末部６７ａを地上で取付けた後、保持装置本体５２を吊線２１まで上昇させ走行輪５３によって吊線２１の上を走行させる。
【００５２】
この時、図１４又はタイプの異なる図１５に示すケーブルハンガ７に対しても通信ケーブル６７の取付部となる先頭端末部６７ａは、吊線２１に支持されたケーブルハンガ７のケーブル挿入口１９を次々に横切るよう通過していき、その後に続くケーブル本体はケーブル挿入口１９から自重によってその内部へ向け落下し通信ケーブル６７等の挿入作業が迅速に完了するようになる。
【図面の簡単な説明】
【００５３】
【図１】本発明にかかる第１の実施形態を示したケーブルハンガ保持装置の概要側面図。
【図２】ケーブルハンガ保持装置の概要正面図。
【図３】第２ハンガ保持部の拡大斜視図。
【図４】ケーブルハンガのハンガ上部を吊線に支持させた状態の説明図。
【図５】ケーブルハンガから保持装置本体を取外す状態を示した説明図。
【図６】ケーブルハンガが吊線に支持された状態の概要斜視図。
【図７】ガイド部の別の実施形態を示した概要説明図。
【図８】第２の実施形態を示したケーブルハンガ保持装置の概要正面図。
【図９】図８の概要左側面図。
【図１０】図８の概要右側面図。
【図１１】図８の概要平面図。
【図１２】ケーブルハンガをケーブルハンガ支持アームにセットした状態の概要説明図。
【図１３】ケーブルハンガ支持アームにセットされたケーブルハンガがケーブルハンガ取外し位置に回動した状態の概要説明図。
【図１４】保持装置本体によってケーブルハンガに対する通信ケーブル等の挿入支持作業を示す説明図。
【図１５】保持装置本体によってタイプの異なるケーブルハンガに対する通信ケーブル等の挿入支持作業を示す説明図。
【符号の説明】
【００５４】
３    竿
５    保持装置本体
７    ケーブルハンガ
９    第１ハンガ保持部
１１    第２ハンガ保持部
１５，５７    ガイド部
１９    ケーブル挿入口
２３    ハンガ上部
３５    係合凹部
３７    磁石
３９    ハンガ側部
４１    係合溝
４３    溝壁部
４５    ハンガ離脱ガイド面
５２    保持装置本体
５３    走行輪
５５    ケーブルハンガ支持アーム
６９    ケーブル端末取付部
【図１】
2006246590.tif 000003
【図２】
2006246590.tif 000004
【図３】
2006246590.tif 000005
【図４】
2006246590.tif 000006
【図５】
2006246590.tif 000007
【図６】
2006246590.tif 000008
【図７】
2006246590.tif 000009
【図８】
2006246590.tif 000010
【図９】
2006246590.tif 000011
【図１０】
2006246590.tif 000012
【図１１】
2006246590.tif 000013
【図１２】
2006246590.tif 000014
【図１３】
2006246590.tif 000015
【図１４】
2006246590.tif 000016
【図１５】
2006246590.tif 000017